(57)【要約】      （修正有）【課題】足裏の横アーチにアプローチして外反母趾の予防や矯正に役立ち得る足載せ器具及び履き物を提供する。【解決手段】足載せ器具１は、足の裏のかかと部を載せるためのかかと載せ部１０と、足の裏の踏み付け部を含む横アーチ部を載せるための横アーチ載せ部２０とを備える。前記横アーチ載せ部２０は、左右中央の頂点２１から左右へと高さが次第に低くなる湾曲面２２を有する。前記横アーチ載せ部２０の湾曲面２２の曲率半径は、Ｒ１５〜Ｒ４０の範囲であり得る。前記かかと載せ部１０は平らな上面１１を有することができる。【選択図】図１
0003196936.tif 000002
【実用新案登録請求の範囲】
【請求項１】
足の裏のかかと部を載せるためのかかと載せ部と、足の裏の少なくとも踏み付け部を載せるための横アーチ載せ部とを備え、
前記横アーチ載せ部は、左右中央の頂点から左右へと高さが次第に低くなる湾曲面を有することを特徴とする足載せ器具。
【請求項２】
足の裏のかかと部を載せるためのかかと載せ部と、足の裏の横アーチ部を載せるための横アーチ載せ部とを備え、
前記横アーチ載せ部は、左右中央の頂点から左右へと高さが次第に低くなる湾曲面を有することを特徴とする足載せ器具。
【請求項３】
前記横アーチ載せ部の湾曲面の曲率半径は、Ｒ１５〜Ｒ４０の範囲である請求項１又は２に記載の足載せ器具。
【請求項４】
前記かかと載せ部は平らな上面を有する請求項１〜３のいずれか１項に記載の足載せ器具。
【請求項５】
前記横アーチ載せ部の湾曲面は、第１の曲率半径を有する第１の領域と、第１の曲率半径とは異なる第２の曲率半径を有する第２の領域とを含む請求項１〜４のいずれか１項に記載の足載せ器具。
【請求項６】
前記かかと載せ部の高さ及び前記横アーチ載せ部の頂点の高さはいずれも、１０ｍｍ〜４０ｍｍの範囲である請求項１〜５のいずれか１項に記載の足載せ器具。
【請求項７】
前記横アーチ載せ部の湾曲面の左右幅は、３０ｍｍ〜５０ｍｍの範囲である請求項１〜６のいずれか１項に記載の足載せ器具。
【請求項８】
前記横アーチ載せ部は、前記かかと載せ部から前方に延びる請求項１〜７のいずれか１項に記載の足載せ器具。
【請求項９】
請求項１〜８のいずれか１項に記載の足載せ器具を履き物に組み合わせたことを特徴とする履き物。
【請求項１０】
前記足載せ器具を前記履き物に着脱自在に固定するための固定手段を備える請求項９に記載の履き物。
【考案の詳細な説明】
【技術分野】
【０００１】
本考案は、足載せ器具及び履き物に関し、特に、外反母趾の予防や矯正に有効な足載せ器具と、このような足載せ器具を組み込んだ履き物に関する。
【背景技術】
【０００２】
サイズの合わない靴を履き続ける等により、足の親指（母趾）が小指側に曲り変形する外反母趾が発症し得る。外反母趾は、足の指の付け根にある５個の中足骨の前端部を横方向に結ぶ深横中足靭帯が伸びたり、緩むことが一因と言われている。このような深横中足靭帯の伸びや緩みに伴い、足裏における横アーチと称される部分が潰れることが知られている。横（左右方向）アーチは、図５を参照して、足裏の踏まず部（中足部）３２から踏み付け部（前足部）３３にわたって存在するが、図５において便宜的に横アーチを参照番号３５で示している。更に詳しくは、横アーチは、足裏における内側楔状骨、中間楔状骨、外側楔状骨、及び、第１中足骨（親指の付け根付近）から第５中足骨（小指の付け根付近）にわたって形成される領域である。
【０００３】
従来の外反母趾の矯正器具として、例えば、実用新案登録第３０４２５５６号公報には、足の親指（第１指）を第２指から横方向外側（小指とは反対側）に引き離しつつ親指の付け根を小指側に押し付けた状態で足を拘束する器具が開示されている。また、実用新案登録第３１５８８５８号公報には、足の親指と第２指との間に弾性部材を挟みつつ足の踏み付け部（前足部）の周りに巻いて固定するサポータが記載される。更に、実用新案登録第３１０７４９６号公報は、足の親指と第２指との間に突起部を挟むようにして使用する球状の器具を開示している。上記の先行技術は、いずれも足の親指と第２指との間隔を広げ、親指を小指とは反対側に曲げ戻すことを企図している。そのため、これらは足裏の横アーチにアプローチできるものではない。
【先行技術文献】
【特許文献】
【０００４】
【特許文献１】実用新案登録第３０４２５５６号公報
【特許文献２】実用新案登録第３１５８８５８号公報
【特許文献３】実用新案登録第３１０７４９６号公報
【考案の概要】
【考案が解決しようとする課題】
【０００５】
本考案の目的は、足裏の横アーチにアプローチして外反母趾の予防や矯正に役立ち得る足載せ器具及び履き物を提供することである。
【課題を解決するための手段】
【０００６】
上記課題を解決するため、本考案によれば、足の裏のかかと部を載せるためのかかと載せ部と、足の裏の少なくとも踏み付け部を載せるための横アーチ載せ部とを備え、前記横アーチ載せ部は、左右中央の頂点から左右へと高さが次第に低くなる湾曲面を有することを特徴とする足載せ器具が提供される。「踏み付け部」は、図５を参照して、足裏における土踏まずに対応する踏まず部（中足部）３２と５本の足指に対応する足趾部３４との間の領域３３であり、前足部とも称される。この踏み付け部は後述する横アーチ部の前端部であり、横アーチ載せ部には踏み付け部を含む横アーチ部を載せるように設計することが好ましい。また、かかと部３１は後足部とも呼ばれる。本考案に係る足載せ器具では、足のかかと部をかかと載せ部に、踏み付け部を横アーチ載せ部に同時に載せることにより、横アーチ載せ部の湾曲面に横アーチ部の少なくとも踏み付け部を押し付けることができる。横アーチ載せ部の湾曲面は、左右（横方向）中央の頂点から左右へと高さが次第に低くなるように湾曲するため、ユーザは、足の踏み付け部を、横アーチ載せ部の湾曲面に押し当て、アーチ状に湾曲させることができ、これにより、足の指の付け根にある５個の中足骨の前端部を横方向に結ぶ深横中足靭帯付近や踏み付け部の後方に連続する足裏の横アーチ部（図５に便宜的に参照番号３５で示す）の筋肉等が刺激され、血行が促進される等の利点が得られる。そのため、外反母趾により潰れた横アーチの矯正や外反母趾の予防に効果的である。
【０００７】
本考案の別の側面によれば、足の裏のかかと部を載せるためのかかと載せ部と、足の裏の横アーチ部を載せるための横アーチ載せ部とを備え、前記横アーチ載せ部は、左右中央の頂点から左右へと高さが次第に低くなる湾曲面を有することを特徴とする足載せ器具が提供される。本考案において、「横アーチ部」とは、足裏における内側楔状骨、中間楔状骨、外側楔状骨、及び、第１中足骨（親指の付け根付近）から第５中足骨（小指の付け根付近）にわたって形成される領域をいう。横アーチ部は、図５を参照して、足裏の踏まず部（中足部）３２から踏み付け部（前足部）３３にわたる領域であり、上述した「踏み付け部」は横アーチ部の前端部である。横アーチ部において、足裏の左右方向アーチ状湾曲度合いは、踏まず部３２から前方の踏み付け部３３へと低減し、横アーチ部の前端部であって着地部とも言える踏み付け部では、アーチ状湾曲度合いはほぼなくなっている場合が多い。本考案では、足裏の横アーチ部を横アーチ載せ部の湾曲面に当てることにより、横アーチ部の筋肉をほぐしたり、血行を促進することができ、これにより、外反母趾で潰れた横アーチを矯正したり、外反母趾を予防することができる。
【０００８】
本考案の一側面では、横アーチ載せ部は、少なくとも踏み付け部を載せる部分であるが、本考案の他の側面では、横アーチ載せ部は、踏み付け部を含む横アーチ部を載せる部分である。本考案の一実施形態において、横アーチ載せ部は、上述した「横アーチ部」のほぼ全域を載せるように設計することが好ましい。また、踏み付け部を含む横アーチ部の他、足趾部を同時に載せるように設計することもできる。
【０００９】
本考案の足載せ器具は、例えば、熱可塑性樹脂、熱硬化性樹脂等から成形したり、ゴムから形成したり、ＡＢＳ樹脂、ＰＬＡ樹脂等から３Ｄプリンタで造形することにより形成することができる。本足載せ器具の材質としては、樹脂に限定されるものではなく、ゴム、木材、金属等から形成することができる。本考案の足載せ器具は、後述するように履き物に組み合わせることができ、この場合は、足載せ器具をゴム等の弾性材料で形成することが望ましい。足載せ器具を弾性材料で形成した場合、体重をかけることにより器具が弾性変形し、体重を外すことにより器具が元の形状に復元するため、足載せ器具を変形不能に形成する場合に比べ、歩き易くなる。また、足載せ器具を履き物とは独立に器具自体で使用する場合、体重をかけても変形しない硬度を有するように形成することも、弾性変形可能に形成することもできる。
【００１０】
本考案の一実施形態において、前記かかと載せ部は平らな上面を有する。かかと載せ部が平らな上面を有することにより、ユーザは、本足載せ器具を使用する際、かかと載せ部の平らな上面にかかと部を載せ、ここに体重をかけることで、安定した状態を得ることができる。このようにかかと載せ部上でかかと部が安定することにより、横アーチ載せ部の湾曲面に対して踏み付け部を含む横アーチ部を押し付ける力を所望に加減することができる。そのため、外反母趾の程度や痛みに応じて、あるいは外反母趾の予防のため、踏み付け部を含む横アーチ部が横アーチ載せ部の湾曲面を押圧する力をユーザが容易に調整することができる。
【００１１】
本考案において、前記横アーチ載せ部の湾曲面の曲率半径は、Ｒ１５〜Ｒ４０の範囲であることが望ましいが、これに限定されるものではない。このような曲率半径を有する横アーチ載せ部の湾曲面に足の踏み付け部を含む横アーチ部を押し付けることにより、横アーチ部に対応する筋肉等が刺激され、外反母趾で潰れた横アーチの矯正や外反母趾の予防のための横アーチ部の血行促進等に効果的である。湾曲面の曲率半径がＲ１５未満であると、湾曲面の湾曲が急過ぎて、横アーチ全域を踏み付け部に当接することが難しくなる。しかしながらその場合でも、足の小さい人には好適であり得、また、足裏の左右中央部に集中的に刺激し得るので、本考案はＲ１５未満の湾曲面も含む。他方、湾曲面の曲率半径がＲ４０を超えると、湾曲面の湾曲が緩過ぎて、足裏横アーチ部をアーチ状に湾曲させることができないおそれがあるが、足の大きい人には好適であり得るため、本考案はＲ４０を超える湾曲面も含む。なお、湾曲面の曲率半径Ｒ２０〜Ｒ３５が特に望ましいと考えられる。
【００１２】
本考案の一実施形態において、前記横アーチ載せ部の湾曲面は、第１の曲率半径を有する第１の領域と、第１の曲率半径とは異なる第２の曲率半径を有する第２の領域とを含む。すなわち、本実施形態では、横アーチ載せ部の湾曲面の曲率半径が一様ではなく、少なくとも二つの曲率半径を有する。湾曲面に第１の領域と第２の領域を形成する態様としては、横アーチ載せ部の湾曲面のほぼ全体を第１の曲率半径の第１領域に設定しつつ、湾曲面の一部のみに第２の曲率半径を有する第２領域を設けるようにすることができる。あるいは、湾曲面の一部に曲率半径が次第に変化する領域を設けることもできる。この場合、ある曲率半径部分が第１の領域であり、第１の領域と異なる曲率半径部分が第２の領域となる。
【００１３】
本考案において、前記かかと載せ部の高さ及び前記横アーチ載せ部の頂点の高さはいずれも、１０ｍｍ〜４０ｍｍの範囲であることが望ましい。横アーチ載せ部の頂点の高さが１０ｍｍ未満の場合、横アーチ載せ部を含む横アーチ部に有効な湾曲面を設けることが難しくなる。その一方、かかと載せ部の高さ及び横アーチ載せ部の高さが４０ｍｍを超えると、足載せ器具の足を載せる部分の高さが高過ぎてユーザに不安をあたえるおそれがある。また、足載せ器具の材料費も嵩み、コストアップにつながり得る。しかしながら、かかと載せ部の高さ及び横アーチ載せ部の頂点の高さが４０ｍｍを上回る場合も本考案の範囲内である。本考案において、かかと載せ部の高さと横アーチ載せ部の湾曲面の頂点の高さは同じであっても、異なっていてもよい。なお、後述する履き物に対して足踏み器具を組み付ける場合は、足踏み器具の高さを低く設定することが好ましいかもしれない。
【００１４】
本考案において、前記横アーチ載せ部の湾曲面の左右幅（すなわち曲率半径が設定される領域の左右幅）は、３０ｍｍ〜５０ｍｍの範囲であることが望ましい。横アーチ載せ部の湾曲面の左右幅が３０ｍｍ未満であると、横アーチ載せ部に有効な湾曲面を設けることが難しくなる。しかしながら、横アーチ載せ部の３０ｍｍ未満の左右幅も本考案の範囲内である。これは、足の小さい人に適していたり、足裏左右中央部への集中的な押圧効果が得られるためである。他方、横アーチ載せ部の湾曲面の左右幅５０ｍｍを超えると、足載せ器具の材料費が嵩むおそれがある。しかしながら、５０ｍｍを超える横アーチ載せ部の左右幅も本考案の範囲内である。
【００１５】
本考案において、前記横アーチ載せ部は、前記かかと載せ部から前方に延びることができる。この場合、ユーザは、踏まず部及び踏み付け部を含む横アーチ載せ部のほぼ全領域を横アーチ載せ部に押圧することが可能となる。この場合、足裏の横アーチ部全域に対応する筋肉を刺激して、血行の促進が得られる等の利点が得られる。
【００１６】
本考案の一実施形態において、前記横アーチ載せ部は、踏み付け部及び踏まず部の他、足趾部を載せるように設計され得る。この場合、横アーチ載せ部には、ユーザのかかと部を除く足裏全域が載るように形成される。そのため、ユーザはかかと部をかかと載せ部に載せると共に、かかと部以外の足裏部分を横アーチ載せ部に載せることができ、足載せ器具上に少なくとも片足を載せた状態の安定度が一層高まる。
【００１７】
本考案の更に別の側面によれば、上述した足載せ器具を履き物に組み合わせたことを特徴とする履き物が提供される。履き物としては、例えば、サンダル、靴、下駄等の外履き、スリッパ等の内履き等を挙げることができるが、これらに限定されるものではない。履き物に上述した足載せ器具を組み合わせることにより、履き物を履いて例えば歩きながら、上述した足載せ器具の利点を享受することが可能となる。上述したように、足載せ器具を履き物に組み合わせる場合、足載せ器具をゴム等の弾性材料により弾性変形するように形成することにより、足載せ器具を変形しない硬度とするよりも、履き物を履いた際、歩き易くなる。
【００１８】
履き物と足載せ器具とを組み合わせる態様としては、１）履き物と足載せ器具とを分離不能に一体化する態様と、２）履き物と足載せ器具とを分離可能に一体化する態様とがある。上記１）の態様では、履き物の製造時に足載せ器具を一体的に組み込む場合（履き物の生地等で足載せ器具を固定する等）と、履き物製造後に後付けで一体化する場合（紐、ビス、接着剤等で足載せ器具を固定する等）とがある。上記２）の態様では、足載せ器具が履き物に取り外し可能に固定される。この着脱式の例としては、足載せ器具及び履き物の一方に雌スナップや凸部を他方に雄スナップや凹部を付加して、雄雌スナップ間や凸凹部間を着脱するようにしたり、マジックテープ（登録商標）やベルトを使用することが考えられるが、これらに限定されるものではない。
【考案の効果】
【００１９】
本考案の足載せ器具及び履き物では、横アーチ載せ部の湾曲面に足裏の横アーチ部を載せて体重をかけることにより、横アーチ部をアーチ状に湾曲させることができる。これにより、足裏における横アーチ部に対応する筋肉を刺激することができ、これが外反母趾の予防や矯正に有効である。
【図面の簡単な説明】
【００２０】
【図１】図１は、本考案の第１実施形態に係る足載せ器具を示す斜視図である。
【図２】図２は、図１の足載せ器具の上面図である。
【図３】図３は、図２のＡ−Ａ線断面図である。
【図４】図４は図２の矢印Ｂから見た正面図である。
【図５】図５は、人の右足を示す図である。
【図６】図６は、足載せ器具を組み付けたサンダルを示す図である。
【図７】図７は、足載せ器具の変形例を示す図２と同様の上面図である。
【考案を実施するための形態】
【００２１】
以下、図面に基づいて本考案の好適な実施形態を説明するが、本考案はそれらの実施形態に限定されるものではなく、実用新案登録請求の範囲内において適宜変更等がなされ得る。図１は、本考案の第１実施形態に係る足載せ器具１の斜視図である。図２は、足載せ器具１の上面図である。図３は、図２のＡ−Ａ線断面図であり、図４は図２の矢印Ｂから見た正面図である。図５は人の右足の図である。足載せ器具１は、熱可塑性樹脂、熱硬化性樹脂等を成形したり、ゴム等の弾性材料で形成したり、３ＤプリンタでＡＢＳ樹脂、ＰＬＡ樹脂等から造形することもできる。また、足載せ器具１は、木材、金属材料から形成することも可能である。足載せ器具１は、後述する履き物に組み合わせる場合は、ゴム等の弾性材料で弾性変形可能に形成することが歩行の容易性の観点から望ましい。足載せ器具１を履き物とは独立に器具単体で使用する場合は、ユーザが体重を載せても変形しない硬度を有するように形成することも、弾性変形するように形成することもできる。足載せ器具１は、人の足裏のかかと部３１（図５参照）を載せるための、水平で平らな上面１１を有するかかと載せ部１０と、かかと載せ部１０から前方（図２において上方）へと延びる、足の踏み付け部（前足部）３３を含む横アーチ部３５を載せることを主目的とした横アーチ載せ部２０とを備える。ここで、横アーチ部３５は、足裏の踏まず部（中足部）３２から踏み付け部３３にわたって存在するが、図５において便宜的に横アーチを参照番号３５で示している。更に詳しくは、横アーチ部３５は、図示はしないが、足裏における内側楔状骨、中間楔状骨、外側楔状骨、及び、第１中足骨（親指の付け根付近）から第５中足骨（小指の付け根付近）にわたって形成される領域である。本実施形態では、横アーチ載せ部２０には、かかと部３１より前方部分全体、すなわち、横アーチ部３５に対応する前足部（踏み付け部）３３及び中足部（踏まず部）３２のみならず足趾部３４も載せられる。横アーチ載せ部２０は、いわばかまぼこ形であり、左右（左右は図２に基づく）中央の最も高い頂点２１から左右それぞれへと高さが次第に低くなるように湾曲する湾曲面２２を有する。以下、左右を横方向という。横アーチ載せ部２０の頂点２１の高さは、横アーチ載せ部２０の前後方向全長において一定であり、本例においてかかと載せ部１０の上面１１より１ｍｍ低い。足載せ器具１は、かかと載せ部１０及び横アーチ載せ部２０の全体にわたる水平な底面２を有し、この底面２から所望の床面に安定的に配置して使用することができる。かかと載せ部１０の上面１１及び外形は、図２の上下方向（以下、前後方向ともいう）に長い楕円形であり、上面１１は底面２と平行である。かかと載せ部１０は、上面１１と底面２との間にほぼ垂直な周側面１２を有する。周側面１２は、横アーチ載せ部２０の湾曲面２２と交差する。また、横アーチ載せ部２０は垂直な前面２３を含む。
【００２２】
本実施形態において、横アーチ載せ部２０の湾曲面２２の曲率半径はＲ２０である。また、足載せ器具１の他の寸法は次の通りであるが、それらの寸法は単なる一例であり、それらに限定されるものではない。足載せ器具１の前後方向全長は、一例として２７０ｍｍであり、そのうち、かかと載せ部１０の前後方向長さ（楕円長径）は１００ｍｍである。しかしながら、足載せ器具１の前後方向全長は、足の小さい人用から足の大きな人用に、例えば１８０ｍｍ〜３００ｍｍの範囲で所望に設計することができ、この範囲から外れることもあり得る。かかと載せ部１０の底面２からの上面１１の高さは３０ｍｍであり、横アーチ載せ部２０の頂点２１の底面２からの高さは２９ｍｍである。また、かかと載せ部１０の楕円形の短径（横方向幅）は５０ｍｍである。横アーチ載せ部２０の横方向幅は４０ｍｍである。
【００２３】
次に足載せ器具１の使用法について説明する。ユーザは、自分の左右一方の足（図５において右足）３０のかかと部３１を足載せ器具１のかかと載せ部１０の上面１１に載せると共に、かかと部３１より前方の横アーチ部３５に対応する踏まず部３２及び踏み付け部３３と、足趾部３４とを、横アーチ載せ部２０の湾曲面２２に載せる。かかと載せ部１０の上面１１が平らであるため、ユーザは足載せ器具１に右足３０を載せた状態で安定を保ちやすい。この状態からユーザは、横アーチ載せ部２０の湾曲面２２に対し横アーチ部３５を押し付け、その力を所望に加減することができる。これにより、足３０の踏み付け部３３を含む横アーチ部３５が横アーチ載せ部２０の湾曲面２２に沿って横方向にアーチ状に湾曲するようになる。この際、例えば、ユーザが外反母趾により横アーチ部３５が潰れた状態である場合、横アーチ部３５が横方向に伸ばされ、横アーチの回復に役立つ。横アーチ部３５の伸びの程度は、ユーザが湾曲面２２にかける自重を加減することにより所望に調整できる。また、外反母趾でなくても、横アーチ載せ部２０に対する横アーチ部３５の押圧により、横アーチ部３５の筋肉が刺激され、これにより足裏の血行が促進されるため、外反母趾の予防を含む健康維持に有効である。また、足趾部３４も横アーチ載せ部２０に押し付けられることから、足趾部３４の血行促進等も図られる。
【００２４】
図６は、上述した足載せ器具１を組み付けた履き物の一例としてのサンダル４０を示す図である。この場合、足載せ器具１はゴム等の弾性材料から形成することが好ましい。この例では、足載せ器具１の底面２に接着剤を塗布して市販のサンダル４０に貼り付けている。そのため、足載せ器具１は、サンダル４０から取り外し不能である。ユーザがサンダル４０を履く場合、足載せ器具１について既述したように、かかと部３１を足載せ器具１のかかと載せ部１０の上面１１上に配置し、かかと部３１より前方の、横アーチ部３５に対応する踏み付け部３３及び踏まず部３２と、足趾部３４とを横アーチ載せ部２０の湾曲面２２に載置するようにする。ユーザが歩行する際の体重が湾曲面２２にかかるため、ユーザは歩きながら湾曲面２２から横アーチ部３５の筋肉に刺激を受け、これが外反母趾の予防や回復に有効である。また、弾性材料から形成された足載せ器具１は、ユーザが歩行時に体重のかけ具合により弾性変形及び復元するので歩き易い。
【００２５】
図６の例では、サンダル４０に対し足載せ器具１を接着剤で固定する例を挙げたが、この例に限らず、足載せ器具１をサンダル４０その他の履き物に対し、別の態様で取り外し不能に固定したり、あるいは取り外し可能に固定することができる。前者の例としては、足載せ器具１を履き物にビスや紐で固定したり、履き物の生地等の素材を用いて固定したり、履き物に組み込むように履き物の生地を縫製する等が考えられる。後者の例としては、例えば、履き物及び足載せ器具に雄スナップ及び雌スナップあるいはマジックテープ（登録商標）を取り付けたり、一方に凸部を、他方に凸部に係合する凹部を設けたり、単に紐やベルトで着脱する等、周知の手段を利用することができる。
【００２６】
図７は、足載せ器具の変形例である足載せ器具１’を示す。なお、図７において既述した足載せ器具１と共通する部分については同じ参照番号を付して説明を省略する。足載せ器具１’の特徴は、横アーチ載せ部２０の湾曲面２２における上下方向中間よりやや上方部に、湾曲面２２とは異なる曲率半径を有する第２の領域２２’を設けた点である。第２の領域２２’は、平均的な足のサイズのユーザがかかと載せ部１０の上面１１の最後方に足のかかと部３１を載せた時に横アーチ部３５が部分的に当たるように設定される。この例では、第２の領域２２’の領域を除く湾曲面２２が第１の領域となる。第２の領域２２’の領域の曲率半径は、第１の領域の曲率半径よりも小さくすることも、大きくすることもできる。このように湾曲面２２に異なる曲率半径の領域が存在することにより、ユーザは自分の足の状況に応じて足裏の横アーチ部３５を当てる曲率半径領域を変えることができる。
【符号の説明】
【００２７】
１、１’  足載せ器具
１０  かかと載せ部
１１  かかと載せ部の上面
２０  横アーチ載せ部
２１  頂点
２２  湾曲面
２２’  第２の領域
３１  かかと部
３３  踏み付け部
３５  横アーチ部
４０  サンダル
【図２】
0003196936.tif 000003
【図１】
0003196936.tif 000004
【図３】
0003196936.tif 000005
【図４】
0003196936.tif 000006
【図５】
0003196936.tif 000007
【図６】
0003196936.tif 000008
【図７】
0003196936.tif 000009